(57)【特許請求の範囲】
【請求項１】
ボタン電池に装着される絶縁構造体であって、
前記ボタン電池は、
正極を持つ円形の第１面と、
前記第１面と反対側の面にあり、負極を持つ円形の第２面と
を備え、
前記絶縁構造体は、
前記ボタン電池の前記第１面に接着される弾性の第１絶縁体であって、前記第１面の直径よりも短い幅を持ち、前記第１面の外周の一部にある第１端部から前記第１面の中心部分を経て前記第１端部と対極にある第２端部まで延伸している前記第１絶縁体と、
前記ボタン電池の前記第２面に接着される弾性の第２絶縁体であって、前記第２面の直径よりも短い幅を持ち、前記第２面の外周の一部にある第３端部から前記第２面の中心部分を経て前記第３端部と対極にある第４端部まで延伸している前記第２絶縁体と
を備え、
前記第１絶縁体の前記第１端部および前記第２端部が、同じ幅を持ち、
前記第２絶縁体の前記第３端部および前記第４端部が、同じ幅を持ち、前記第２面の外周において、前記第１端部及び第２端部にそれぞれ対応する位置にあり、前記ボタン電池の側面に沿って、前記第１絶縁体の前記第１端部及び第２端部にそれぞれ繋がっており、
前記第１絶縁体の幅が、前記第１面の中心部分で前記第１端部及び前記第２端部の幅よりも短く、
前記第２絶縁体の幅が、前記第２面の中心部分で前記第３端部及び前記第４端部の幅よりも短い
絶縁構造体。
【請求項２】
前記第１絶縁体の幅が、前記第１端部及び前記第２端部から前記第１面の中心部分に近づくにつれて狭くなり、前記第１面の中心部分で最も狭く、
前記ボタン電池がその電池ホルダーに装着されたときに、前記電池ホルダーのマイナスコンタクトが前記ボタン電池の前記第２面に接触できるように、前記第２絶縁体の幅が、前記第３端部及び前記第４端部から前記第２面の中心部分に近づくにつれて狭くなり、前記第２面の中心部分で最も狭い
請求項１に記載の絶縁構造体。
【請求項３】
請求項１または２に記載の絶縁構造体と、
ボタン電池と
を備える絶縁構造付きボタン電池。
【請求項４】
請求項３に記載の絶縁構造付きボタン電池と、
電池ホルダーと
を備えるボタン電池の実装構造。
【請求項５】
ボタン電池への絶縁構造体の装着方法であって、
前記ボタン電池は、
正極を持つ円形の第１面と、
前記第１面と反対側の面にあり、負極を持つ円形の第２面と
を備え、
前記絶縁構造体の装着方法は、
前記ボタン電池の前記第１面に弾性の第１絶縁体を接着する第１の装着ステップと、
前記ボタン電池の前記第２面に弾性の第２絶縁体を接着する第２の装着ステップと、
前記ボタン電池の側面に沿って、前記第１絶縁体と前記第２絶縁体とを繋げるステップと
を備え、
前記第１絶縁体は、前記第１面の直径よりも短い幅を持ち、前記第１面の外周の一部にある第１端部から前記第１面の中心部分を経て前記第１端部と対極にある第２端部まで延伸し、
前記第１絶縁体の前記第１端部および前記第２端部が、同じ幅を持ち、
前記第２絶縁体は、前記第２面の直径よりも短い幅を持ち、前記第２面の外周の一部にある第３端部から前記第２面の中心部分を経て前記第３端部と対極にある第４端部まで延伸し、
前記第２絶縁体の前記第３端部および前記第４端部が、同じ幅を持ち、前記第２面の外周において、前記第１端部及び第２端部にそれぞれ対応する位置にあり、
前記第１絶縁体と前記第２絶縁体とを繋げるステップでは、
前記ボタン電池の側面に沿って、前記第２絶縁体の前記第３端部および前記第４端部を前記第１絶縁体の前記第１端部及び第２端部にそれぞれ繋げ、
前記第１の装着ステップで前記第１面に接着された前記第１絶縁体の幅が、前記第１面の中心部分で前記第１端部及び前記第２端部の幅よりも短く、
前記第２の装着ステップで前記第２面に接着された前記第２絶縁体の幅が、前記第２面の中心部分で前記第３端部及び前記第４端部の幅よりも短い
絶縁構造体の装着方法。
【発明の詳細な説明】
【技術分野】
【０００１】
本発明は、ボタン電池に関し、特にその実装構造に関する。
【背景技術】
【０００２】
ボタン電池は、消費電力の小さな各種の電子機器に多く用いられている。各種機器に固定される等して用意された電池ホルダーに着脱自在にボタン電池が実装される。
【０００３】
図１は、ボタン電池、及び電池ホルダーを説明するための斜視図である。図１を参照すると、ボタン電池１のプラス極１ａ側の面（以下では表面とも記す）が示されている。ボタン電池１は略円筒の形状である。表面から続くボタン電池１の外周面もプラス極１ａとなっている。一方で、表面とは反対側のボタン電池１の裏面はマイナス極１ｂとなっている。また、ボタン電池１が実装される電池ホルダー２は、マイナスコンタクト３とプラスコンタクト４とハウジング５とを含んでいる。そして、電池ホルダー２は、そのセンターにマイナス極のコンタクト３と、そのサイドにプラス極のコンタクト４との構造を有している。
【０００４】
図２は、ボタン電池が電池ホルダーに実装された状態を示した斜視図である。図２を参照すると、ボタン電池１の外周面と電池ホルダー２（ハウジング５）との間の領域には隙間Ｂが生じている。
【０００５】
図３は、ボタン電池が電池ホルダーに実装された状態を示した断面図である。図３を参照すると、図２のＡ−Ａで示される領域の断面が示されている。電池ホルダ２ーに実装されたボタン電池１は、プラス極１ａとプラスコンタクト４とが接触している。また、マイナス極１ｂとマイナスコンタクト３とが接触している。マイナスコンタクト３から上向きの力を受けるボタン電池１はプラスコンタクト４とハウジング５とによって押さえつけられている。
【０００６】
上の記述に関連して、偏平形集合電池が実開昭５９−１６８９６３号公報に開示されている。この例では、複数個のボタン電池を平面上に並べた偏平形集合電池において、外面に液不透過性のプラスチック膜をラミネートした吸液材で単位電池群を筒状に囲繞し、その両端開口部に内面が耐アルカリ性の絶縁物質でコーティングされた金属キャップを嵌合し、該金属キャップに集合電池を構成する両端の単位電池の正・負極を接続すると共に、外面を熱収縮性チューブで被覆している。
【０００７】
また、実開平０４−０４７２６１号公報には、コイン電池ホルダが開示されている。この例では、ケースの一部をなすホルダ本体を摘み部とホルダ部とで構成すると共にホルダ部の短アームと湾曲アームでコイン電池の１部を露出させる欠切部を残してコイン電池が収納可能な空間を画成し、ホルダの１側面にコイン電池中心部電極と当接するホルダプレートを配して該ホルダプレートを短アーム、湾曲アームの所要位置でカシメ、該カシメ部及び電池露出部を電子機器ケース側に設けた接点と接触可能とすると共に、摘み部にはコイン電池充電器のピン接点が挿入する充電端子孔を設けることなく、又湾曲アームによりコイン電池充電器のコイン電池周辺接触用接点が接触する点を覆っている。
【０００８】
また、電池ホルダが特開２００２−７５３１２号公報で開示されている。この例では、ボタン形電池１をハウジング４ｂと４ｃの間で、かつ、固定ハウジング８ｂと８ｃの下側と電池ホルダ２の底面の間を、ストッパ９の上部から斜めに挿入するようにしている。従って、固定ハウジング８ａ〜８ｄがボタン形電池１の挿入時にボタン形電池１から押圧力を受けることは無いため、変形することはないとしている。ボタン形電池１が電池ホルダ２に収納されると、ボタン形電池１は固定ハウジング８ａ〜８ｄにより上方向への脱落が防止されると共に、ハウジング４ａ〜４ｆとストッパ９により横方向への脱落が防止され固定された状態が保持されるとしている。固定ハウジング８ａ〜８ｄの長さを長くできるため、衝撃等による脱落を防止できるとしている。
【０００９】
また、特開２００２−３２４５３２号公報にも、電池ホルダが開示されている。この例では、電池ホルダ１のホルダ本体２に柱形のロック部５を突設し、ボタン形電池の周側面Ｂｓと向き合うロック部の対峙面５ａをボタン形電池の中心方向に角θ１ほど内倒させたため、ボタン形電池の収容時にロック部を柔軟に大きく撓ませることができるとしている。また、対峙面５ａにボタン形電池の上面Ｂｕに係止する爪部５ｂの係止面５ｃを角θ２ほど下向き傾斜で形成したので、ロック部が撓んで反り返っても、係止面を下向き傾斜状態で若しくは略水平状態で該上面に係止させて、ボタン形電池が容易に離脱しないようにしている。
【００１０】
また、特開２００４−３９３４７号公報には、電池ホルダ用端子が開示されている。これは、底板７とその底板７に設けられた周壁８、９とからなる電池収容部１０に収容したボタン電池２のプラス極にプラス端子５が電気的に接触すると共に、マイナス極にマイナス端子６が電気的に接触するものである。その構成は、前記プラス端子５及び／又はマイナス端子６が、細長のほぼ矩形状の金属片３０、４０を、前記周壁８、９に取り付けられるべく折り曲げて形成される取付部３１、４１と、その取付部３１、４１を形成する金属片３０、４０の一部に設けられ、周壁８、９と係合して取付部３１、４１を係止する係止部３２、４２と、前記取付部３１、４１より電池収容部１０側となる金属片３０、４０を折り曲げて電池収容部１０に収容したボタン電池２の電極に電気的に接触する接触端子部３４、４３とからなる。
【００１１】
また、ボタン電池ホルダー及びその接続構造が特開２００４−１３４２７１号公報で開示されている。これは、ボタン電池１を収納する絶縁ホルダー５と絶縁ホルダー５を回路基板１５へ固定する保持具７とからなり、絶縁ホルダー５は弾性材料で有底筒形に形成し、その底部のほぼ中央にボタン電池１の一方の電極に接続する第一の接続端子６を設け、前記保持具７は保持脚８とボタン電池の他の電極と接続する第二の接続端子１１を先端に有する電極脚１０とを具有することを特徴とする。絶縁ホルダー５を覆う形に形成された保持具７の保持脚８が、ボタン電池１の両端（ボタン電池が円形の場合には直径の両端）の位置に２箇所設けられ、電極脚１０が保持脚８とほぼ垂直の位置に設けられるものであることが好ましいとしている。
【００１２】
そして、特開２００９−２５９６６６号公報においては、ボタン電池の取り外し構造、電子機器及びボタン電池の取り外し用治具が開示されている。この例においては、ケース本体２０に取り付けられる電池カバー２１は、ケース本体２０からボタン電池１０を取り外すための取り外し用治具として機能するようにしている。電池カバー２１は、複数のボタン電池１０を収納するケース本体２０と、当該複数のボタン電池１０の側面との間の隙間に挿入される複数の係合爪２１１を有しており、当該複数の係合爪を利用して、複数のボタン電池１０をケース本体２０から同時に取り外すことが可能であるとしている。
【先行技術文献】
【特許文献】
【００１３】
【特許文献１】実開昭５９−１６８９６３号公報
【特許文献２】実開平０４−０４７２６１号公報
【特許文献３】特開２００２−０７５３１２号公報
【特許文献４】特開２００２−３２４５３２号公報
【特許文献５】特開２００４−０３９３４７号公報
【特許文献６】特開２００４−１３４２７１号公報
【特許文献７】特開２００９−２５９６６６号公報
【発明の概要】
【発明が解決しようとする課題】
【００１４】
ボタン電池は、プラス極、及びマイナス極のそれぞれの電極が露出している。そのボタン電池が寿命を迎えた際には交換を要する。ボタン電池の電池ホルダーへの実装の際には素手で扱う可能性が極めて高く、電極部分に異物が付着することで接点が酸化されて、接触不良が誘発される可能性がある。また、ボタン電池と電池ホルダーとの間に緩みが発生することによって振動による接点の微摺動磨耗が誘発される場合がある。
【００１５】
本発明が解決しようとする課題は、電池ホルダーとの接触信頼性のより高いボタン電池を提供することである。
【課題を解決するための手段】
【００１６】
本発明の絶縁構造体は、機械的結合によってボタン電池の正極に装着される弾性体の第１の絶縁体と、機械的結合によってボタン電池の負極に装着される弾性体の第２の絶縁体とを備え、第１の絶縁体は、正極の形成された第１の面と外周面とのそれぞれの少なくとも一部が露出した第１の露出領域を有するように設けられ、第２の絶縁体は、負極の形成された第２の面の少なくとも一部が露出した第２の露出領域を有するように設けられる。
【００１７】
また、本発明の絶縁構造付きボタン電池は、本発明に係る絶縁構造体と、ボタン電池とを備える。
【００１８】
また、本発明のボタン電池の実装構造は、本発明に係る絶縁構造付きボタン電池と、電池ホルダーとを備える。
【００１９】
また、本発明のボタン電池への絶縁構造体の装着方法は、機械的結合によってボタン電池の正極に弾性体の第１の絶縁体を装着するステップと、機械的結合によってボタン電池の負極に弾性体の第２の絶縁体を装着するステップとを備え、第１の絶縁体を装着するステップは、正極の形成された第１の面と外周面とのそれぞれの少なくとも一部が露出した第１の露出領域を有するように設け、第２の絶縁体を装着するステップは、負極の形成された第２の面の少なくとも一部が露出した第２の露出領域を有するように設ける。
【００２０】
そして、本発明のボタン電池の実装方法は、電池ホルダーに、絶縁構造付きボタン電池を実装するステップを備え、電池ホルダーは、ボタン電池の第１の露出領域が電池ホルダーの第１の電極端子と接触し、ボタン電池の第２の露出領域が電池ホルダーの第２の電極端子と接触するように形成され、絶縁構造付きボタン電池は、第１の絶縁体がボタン電池の正極に、第２の絶縁体がボタン電池の負極に装着されている。
【発明の効果】
【００２１】
本発明によれば、電池ホルダーとの接触信頼性のより高いボタン電池を提供することが可能となる。
【図面の簡単な説明】
【００２２】
【図１】図１は、ボタン電池、及び電池ホルダーを説明するための斜視図である。
【図２】図２は、ボタン電池が電池ホルダーに実装された状態を説明するための斜視図である。
【図３】図３は、ボタン電池が電池ホルダーに実装された状態を説明するための断面図である。
【図４】図４は、本実施形態に係るボタン電池、及び電池ホルダーの一例を示した斜視図である。
【図５】図５は、本実施形態に係るボタン電池が電池ホルダーに実装された状態の一例を示した斜視図である。
【図６】図６は、本実施形態に係るボタン電池が電池ホルダーに実装された状態の一例を示した断面図である。
【発明を実施するための形態】
【００２３】
以下に、添付図面を参照しながら、本発明の実施形態に係る絶縁構造体、及びその装着方法、絶縁構造付きボタン電池、その実装構造、及びその実装方法を詳細に説明する。
【００２４】
まず、本実施形態に係る絶縁構造付きボタン電池の構成を詳細に説明する。
【００２５】
図４は、本実施形態に係るボタン電池、及び電池ホルダーの一例を示した斜視図である。図４を参照すると、本実施形態に係るボタン電池（ボタン型電池）１のプラス極（正極）１ａ側の面（以下では表面とも記す）が示されている。ボタン電池１は略円筒の形状である。表面から続くボタン電池１の外周面（側面）もプラス極１ａとなっている。一方で、表面とは反対側のボタン電池１の裏面はマイナス極（負極）１ｂとなっている。なお、本実施形態は、ボタン電池に限らず、類似する例えばコイン電池等にも適用できる。
【００２６】
また、ボタン電池１には、絶縁体材料によって形成された絶縁構造体である絶縁ラバー６が装着されている。絶縁ラバー６には、弾性を有する弾性体が用いられる。本実施形態においては、プラス極１ａ側に装着されている部分と、マイナス極１ｂ側に装着されている部分とがつながった環状構造となっている。絶縁ラバー６の製造、及びボタン電池１への装着の容易性の観点からは環状構造とするのが好適である。この絶縁ラバー６は、ボタン電池１と樹脂との一体成型、又は成型されたラバーのボタン電池１への装着、又は収縮チューブによるボタン電池１の被覆等によって形成されている。このように、絶縁ラバー６は、ゴムに限定されず、例えばプラスチック等のような絶縁性、及び弾性を有する材料を自由に用いることができる。また、好適には、ボタン電池１と、絶縁ラバー６とは機械的結合によって接着された状態となっている。絶縁ラバー６は必ずしも１本の環状につながることを要しないものの、表面、裏面、及び側面におけるそれぞれの一部の領域に装着されている状態とされるのが好ましい。
【００２７】
また、本実施形態に係るボタン電池１が実装される電池ホルダー２は、マイナスコンタクト（負極端子）３とプラスコンタクト（正極端子）４とハウジング（保持壁）５とを含んでいる。電池ホルダー２は、底面が略円形で、その外周部に環状の壁を有する構造となっている。電池ホルダー２の底面、及び環状壁は絶縁体材料によって形成されている。
【００２８】
電池ホルダー２の底面のセンター（中心）付近には、電気伝導体材料によって形成されたマイナスコンタクト３が設けられている。マイナスコンタクト３は、電池ホルダー２の外周付近の底面からセンター方向に延在している。マイナスコンタクト３は、センター付近ほど電池ホルダー２の底面から離れるように傾斜して設けられている。また、マイナスコンタクト３は可撓性を有している。すなわち、マイナスコンタクト３は、電池ホルダー２に実装されるボタン電池１によって押されて電池ホルダー２の底面方向に撓むように設けられている。
【００２９】
電池ホルダー２のサイド（環状壁における一角）には電気伝導体材料によって形成されたプラスコンタクト４が設けられている。プラスコンタクト４は、電池ホルダー２の外周付近で底面から離れる方向に立ち上がり、その先はセンター方向に延在している。プラスコンタクト４は、外周方向には可撓性を有しているのに対し底面方向、及びその反対方向には可撓性を必要としない。すなわち、ボタン電池１の電池ホルダー２への取り付けが行われる最中に、プラスコンタクト４は、ボタン電池１によって押されて電池ホルダー２の外周方向に撓むように設けられている。
【００３０】
ハウジング（保持壁）５は、電池ホルダー２の外周部に環状の壁として底面から立ち上がって形成されている。ハウジング５は、絶縁体材料によって形成されている。ボタン電池１は、ハウジング５で囲まれた領域内に収まる。ボタン電池１は、ハウジング５によって電池ホルダー２からの離脱、特に底面と平行方向への移動が防がれる。
【００３１】
図５は、本実施形態に係るボタン電池が電池ホルダーに実装された状態の一例を示した斜視図である。図５を参照すると、本実施形態に係るボタン電池１のプラス極１ａ側の面が露出した状態で電池ホルダー２に実装された状態が示されている。ボタン電池１は、ハウジング５で囲まれた領域内に収まっている。また、ボタン電池１は、センター方向に延在するプラスコンタクト４の先端よりも底面側に収まっている。
【００３２】
ボタン電池１に装着された絶縁ラバー６は、プラス極１ａとプラスコンタクト４とが接触して導通するように装着されている。より詳細には、絶縁ラバー６は、ボタン電池１のプラス極１ａの形成された表面とボタン電池１の外周面とのそれぞれの少なくとも一部が露出した領域を有するように機械的結合によってプラス極１ａに装着されている。また、図５には示していないものの絶縁ラバー６は、ボタン電池１のマイナス極１ｂの形成された裏面の少なくとも一部が露出した領域を有するように機械的結合によってマイナス極１ｂに装着されている。
【００３３】
また、ボタン電池１に装着された絶縁ラバー６は、図２の隙間Ｂに当たるボタン電池１の外周面とハウジング５との間の領域Ｄを埋めている。絶縁ラバー６は、弾性体材料によって形成されているため埋める領域Ｄの厚さに幅を持たせることができる。
【００３４】
また、絶縁ラバー６が環状に延びる方向、言い換えると、ボタン電池１の２箇所の外周部間でその表面上を延びる方向とは垂直方向である絶縁ラバー６の幅がボタン電池１の中心部付近で狭くなる切り込み６ａが形成されている。この構造は、図示せぬ裏面でも同様に形成されている。このような切り込み６ａによる逃げの部分が設けられることによって絶縁ラバー６は、電池ホルダー２のマイナスコンタクト３、及びプラスコンタクト４のそれぞれの摺動、及び接触に影響しない構造となっている。
【００３５】
図６は、本実施形態に係るボタン電池が電池ホルダーに実装された状態の一例を示した断面図である。図６を参照すると、図５のプラスコンタクト４を通過してボタン電池１の略直径方向に延びるＣ−Ｃで示された領域の断面が示されている。電池ホルダー２に実装されたボタン電池１のマイナス極１ｂとマイナスコンタクト３とが接触していて導通する構造となっている。その際に、ボタン電池１は、マイナスコンタクト３によって、電池ホルダー２の底面から離れる方向へと押される力を受けている。一方で、プラス極１ａとプラスコンタクト４とが接触している。また、マイナスコンタクト３からの力を受けるボタン電池１はプラスコンタクト４とハウジング５とによって押さえつけられている。これによって、ボタン電池１が、電池ホルダー２から外れることが防止されている。
【００３６】
絶縁ラバー６は、表面（プラス極１ａ）上と裏面（マイナス極１ｂ）上とにそれぞれ装着されている。絶縁ラバー６は、ボタン電池１のすべてを覆うのではなく、表面、外周面、及び裏面のそれぞれの少なくとも一部が露出した領域を有するように装着されている構造と切り込み６ａを有する構造とによって電池ホルダー２の端子との接触が妨げられない。そして、上述したように、絶縁ラバー６は、電池ホルダー２のマイナスコンタクト３、及びプラスコンタクト４のそれぞれの摺動、及び接触に影響しない構造となっている。
【００３７】
このように、絶縁ラバー６は、ボタン電池１の表面、及び裏面では主に汚れを防止する作用を有し、側面では電池ホルダー２に実装されている際の勘合ガタ（緩み）を防止する作用を有している。
【００３８】
次に、本実施形態に係る絶縁構造体のボタン電池への装着の方法を詳細に説明する。
【００３９】
まず、ボタン電池１のプラス極１ａの形成された表面とボタン電池１の外周面とのそれぞれの少なくとも一部が露出した領域を有するように機械的結合によってプラス極１ａに絶縁ラバー６を装着する。この露出した領域が、プラスコンタクト４と接触して、導通する部分に当たる。
【００４０】
次に、ボタン電池１のマイナス極１ｂの形成された裏面の少なくとも一部が露出した領域を有するように機械的結合によってマイナス極１ｂに絶縁ラバー６を装着する。この露出した領域が、マイナスコンタクト３と接触して、導通する部分に当たる。
【００４１】
装着される絶縁ラバー６には、その幅が狭くなる切り込み６ａが設けられている。その切り込み６ａが、ボタン電池１の中心部付近となるように、絶縁ラバー６が、ボタン電池１のプラス極１ａ、及びマイナス極１ｂに装着される。なお、絶縁ラバー６は、プラス極１ａ側に装着されている部分と、マイナス極１ｂ側に装着されている部分とがつながった環状構造であっても良い。
【００４２】
次に、本実施形態に係る絶縁構造付きボタン電池の電池ホルダーへの実装の方法を詳細に説明する。
【００４３】
電池ホルダー２に実装されるボタン電池１には絶縁ラバー６が、ボタン電池１のプラス極１ａ側、及びマイナス極１ｂ側に装着されている。このボタン電池１のプラス極１ａ側の露出領域が電池ホルダー２のプラスコンタクト４と導通して、ボタン電池１のマイナス極１ｂ側の露出領域が電池ホルダー２のマイナスコンタクト３と導通するように形成された電池ホルダー２にボタン電池１が実装される。
【００４４】
ボタン電池１が素手で扱われる際にはボタン電池１への接触を絶縁ラバー６が阻止する。その絶縁ラバー６は、ボタン電池１の表面、外周面、及び裏面の一部が露出しているため電池ホルダー２にそのまま実装される。その際に、絶縁ラバー６の切り込み（逃げ部分）６ａが、マイナスコンタクト３、及びプラスコンタクト４の位置に合わせられることによって電池ホルダー２との勘合、及び接触が阻害されない。そして、絶縁ラバー６は弾性を有しているため、電池ホルダー２との隙間Ｂを埋めて振動等による接点の微摺動磨耗を防止する。絶縁ラバー６は隙間Ｂを１箇所埋めるだけでもその効果が発揮される。絶縁ラバー６が２箇所の隙間Ｂを埋めて、ボタン電池１を挟み込むような形態とするとその効果がより高まる。本実施形態の絶縁ラバー６は環状構造であるため、２箇所の隙間Ｂを埋めることとなる。
【００４５】
以上に、本実施形態による絶縁構造体、及びその装着方法、絶縁構造付きボタン電池、その実装構造、及びその実装方法の説明を行った。
【００４６】
本実施形態では、ボタン電池に絶縁ラバーが装着された構成によって、ボタン電池の素手での取り扱いを可能とし、電極部分の汚れ、異物の付着、及び酸化の防止を図ることが可能となる効果を有している。
【００４７】
また、本実施形態では、絶縁ラバーに弾性体材料が用いられた構成によって、ボタン電池の実装時に電池ホルダーとの隙間を埋めて、振動等による接点の微摺動磨耗を防止することが可能となる効果を有している。
【００４８】
また、本実施形態では、絶縁ラバーの切り込みの逃げ部分が設けられた構成によって、電池ホルダーとの勘合、接触を阻害することなく実装することができる効果を有している。しかも、その絶縁ラバーは、ボタン電池の周囲をすべて覆うのではなく、ボタン電池の表面、外周面、及び裏面の一部が露出している構成によって、電池ホルダーへの適用範囲が広く、高い汎用性を持つ効果を有している。
【００４９】
以上のように、本実施形態では、電池ホルダーとの接触信頼性のより高いボタン電池を提供することができる。
【００５０】
以上、本発明の実施形態を説明した。しかし、本発明は上記実施形態に限定されるものではなく、本発明の要旨を逸脱しない範囲内で種々変形して実施することができる。
【００５１】
上記の実施形態の一部又は全部は、以下の付記のようにも記載されうるが、以下には限られない。
【００５２】
（付記１）機械的結合によってボタン電池の正極に装着される弾性体の第１の絶縁体と、
機械的結合によって前記ボタン電池の負極に装着される弾性体の第２の絶縁体と
を備え
前記第１の絶縁体は、
前記正極の形成された第１の面と外周面とのそれぞれの少なくとも一部が露出した第１の露出領域を有するように設けられ、
前記第２の絶縁体は、
前記負極の形成された第２の面の少なくとも一部が露出した第２の露出領域を有するように設けられる
絶縁構造体。
【００５３】
（付記２）付記１に記載の絶縁構造体であって、
前記第１の絶縁体には、前記ボタン電池が電池ホルダーに実装された際に、前記電池ホルダーに形成された第１の電極端子と前記第１の露出領域とを接触させるための凹部を有し、
前記第２の絶縁体には、前記電池ホルダーに形成された第２の電極端子と前記第２の露出領域とを接触させるための凹部を有する
絶縁構造体。
【００５４】
（付記３）付記１又は２に記載の絶縁構造体であって、
前記第１の露出領域が前記第１の面の周縁部を含むように装着される第１の絶縁体と、
前記第２の露出領域が前記第２の面の中心部を含むように装着される第２の絶縁体と
を備える
絶縁構造体。
【００５５】
（付記４）付記１乃至３のいずれか１項に記載の絶縁構造体であって、
前記第１の絶縁体と前記第２の絶縁体とがつながった環状構造を有する
絶縁構造体。
【００５６】
（付記５）付記１乃至４のいずれか１項に記載の絶縁構造体と、
ボタン電池と
を備える
絶縁構造付きボタン電池。
【００５７】
（付記６）付記５に記載の絶縁構造付きボタン電池と、
電池ホルダーと
を備える
ボタン電池の実装構造。
【００５８】
（付記７）付記６に記載のボタン電池の実装構造であって、
前記ボタン電池の外周面に結合された絶縁構造体を介して前記ボタン電池が前記電池ホルダーに実装される
ボタン電池の実装構造。
【００５９】
（付記８）付記７に記載のボタン電池の実装構造であって、
前記絶縁構造体は前記外周面の２箇所を覆うように設けられる
ボタン電池の実装構造。
【００６０】
（付記９）付記６乃至８のいずれか１項に記載のボタン電池の実装構造であって、
前記ボタン電池が前記電池ホルダーに実装された際に、前記絶縁構造体との干渉を避けるように電極端子が形成されている前記電池ホルダー
を備える
ボタン電池の実装構造。
【００６１】
（付記１０）付記９に記載のボタン電池の実装構造であって、
前記ボタン電池が前記電池ホルダーに実装された際に、第１の露出領域は、前記電池ホルダーに形成された第１の電極端子と接触し、第２の露出領域は、前記電池ホルダーに形成された第２の電極端子と接触するように、第１の絶縁体が正極に、第２の絶縁体が負極に装着されている
ボタン電池の実装構造。
【００６２】
（付記１１）機械的結合によってボタン電池の正極に第１の絶縁体を装着するステップと、
機械的結合によって前記ボタン電池の負極に第２の絶縁体を装着するステップと
を備え、
前記第１の絶縁体を装着するステップは、
前記正極の形成された第１の面と外周面とのそれぞれの少なくとも一部が露出した第１の露出領域を有するように設け、
前記第２の絶縁体を装着するステップは、
前記負極の形成された第２の面の少なくとも一部が露出した第２の露出領域を有するように設ける
ボタン電池への絶縁構造体の装着方法。
【００６３】
（付記１２）電池ホルダーに、絶縁構造付きボタン電池を実装するステップ
を備え、
前記電池ホルダーは、
ボタン電池の第１の露出領域が前記電池ホルダーの第１の電極端子と接触し、前記ボタン電池の第２の露出領域が前記電池ホルダーの第２の電極端子と接触するように形成され、
前記絶縁構造付きボタン電池は、
第１の絶縁体が前記ボタン電池の正極に、第２の絶縁体が前記ボタン電池の負極に装着されている
ボタン電池の実装方法。
【符号の説明】
【００６４】
１    ボタン電池
１ａ  プラス極（正極）
１ｂ  マイナス極（負極）
２    電池ホルダー
３    マイナスコンタクト（負極端子）
４    プラスコンタクト（正極端子）
５    ハウジング（保持壁）
６    絶縁ラバー（絶縁体）
６ａ  切り込み
Ｂ    ボタン電池１の外周面とハウジング５との間の隙間
Ｄ    ボタン電池１の外周面とハウジング５との間の領域
【図１】
0005505988.tif 000002
【図２】
0005505988.tif 000003
【図３】
0005505988.tif 000004
【図４】
0005505988.tif 000005
【図５】
0005505988.tif 000006
【図６】
0005505988.tif 000007